(57)【要約】【課題】本発明は、ファン失効アラーム回路を提供する。【解決手段】本発明の回路は、ファンからのパルス信号を直流電圧に変換する直流変換回路と、第一端は直流変換回路に接続され、第二端は接地し、第三端は電源に接続され、第一端が直流電圧を受け取るとターンオンされる第一電子スイッチと、第一端は第一電子スイッチの第三端に接続され、第二端は接地し、第三端は電源に接続され、第一電子スイッチが導通される場合にターンオフされる第二電子スイッチと、パワーピン及びリセットピンは、第二電子スイッチの第二端に接続され、トリガーピン及び閾値ピンは、順次第一、第二レジスターを介して第二電子スイッチの第二端に接続され且つ第一キャパシターを介して接地し、放電ピンは、第一、第二レジスターの間のノードに接続されるクロックチップと、陽極はクロックチップの出力ピンに接続され、陰極は接地する発光ダイオードと、を備える。【選択図】図１
2012230669.tif 000002
【特許請求の範囲】
【請求項１】
直流変換回路、第一電子スイッチ、第二電子スイッチ、クロックチップ及び発光ダイオードを備えるファン失効アラーム回路であって、
前記直流変換回路の入力端は、ファンの回転速度信号ピンに接続されて、ファンが作動する場合、ファンの回転速度信号ピンから出力するパルス信号を直流電圧に変換し、
前記第一電子スイッチの第一端は、前記直流変換回路の出力端に接続され、第一電子スイッチの第二端は接地し、第一電子スイッチの第三端は、電源に接続され、前記第一電子スイッチは、その第一端が前記直流変換回路からの直流電圧を受け取るとターンオンされ、
前記第二電子スイッチの第一端が前記第一電子スイッチの第三端に接続され、前記第二電子スイッチの第二端が接地し、前記第二電子スイッチの第三端が電源に接続され、前記第一電子スイッチがターンオンされる場合、前記第二電子スイッチはターンオフされ、
前記クロックチップのパワーピン及びリセットピンは、前記第二電子スイッチの第二端に接続され、前記クロックチップのトリガーピン及び閾値ピンは、順次第一レジスター及び第二レジスターを介して前記第二電子スイッチの第二端に接続され、前記クロックチップのトリガーピン及び閾値ピンは、さらに第一キャパシターを介して接地し、前記クロックチップの放電ピンは、前記第一レジスターと前記第二レジスターとの間のノードに接続され、
前記発光ダイオードの陽極は、前記クロックチップの出力ピンに接続され、前記発光ダイオードの陰極は接地することを特徴とするファン失効アラーム回路。
【請求項２】
前記第一電子スイッチは電界効果トランジスターであり、前記第一電子スイッチの第一端、第二端及び第三端は、電界効果トランジスターのゲート、ソース及びドレインに対応することを特徴とする請求項１に記載のファン失効アラーム回路。
【請求項３】
前記第二電子スイッチは電界効果トランジスターであり、前記第二電子スイッチの第一端、第二端及び第三端は、電界効果トランジスターのゲート、ソース及びドレインに対応することを特徴とする請求項１に記載のファン失効アラーム回路。
【請求項４】
前記直流変換回路は、第三レジスター及び第二キャパシターを備え、前記第三レジスターの第一端は、前記直流変換回路の入力端として前記ファンの回転速度信号ピンに接続され、前記第三レジスターの第二端は、前記直流変換回路の出力端として前記第一電子スイッチの第一端に接続され、前記第三レジスターの第二端は、さらに前記第二キャパシターを介して接地することを特徴とする請求項１に記載のファン失効アラーム回路。
【請求項５】
前記ファン失効アラーム回路は、前記直流変換回路と前記ファンとの間に接続されるダイオード及び第四レジスターをさらに備え、前記ダイオードの陽極は、前記ファンの回転速度信号ピンに接続され、前記ダイオードの陰極は、前記第四レジスターを介して前記直流変換回路の入力端に接続されることを特徴とする請求項１に記載のファン失効アラーム回路。
【請求項６】
前記ファン失効アラーム回路は、第三電子スイッチ及びブザーをさらに備え、
前記第三電子スイッチの第一端は、前記発光ダイオードの陰極に接続され、前記第三電子スイッチの第二端は接地し、前記発光ダイオードがターンオンされると、前記第三電子スイッチはターンオンされ、
前記ブザーの陽極は、電源に接続され、前記ブザーの陰極は、前記第三電子スイッチの第三端に接続されることを特徴とする請求項１に記載のファン失効アラーム回路。
【請求項７】
前記第三電子スイッチはトランジスターであり、前記第三電子スイッチの第一端、第二端及び第三端は、トランジスターのベース、エミッタ及びコレクタに対応することを特徴とする請求項６に記載のファン失効アラーム回路。
【発明の詳細な説明】
【技術分野】
【０００１】
本発明は、ファン失効アラーム回路に関するものである。
【背景技術】
【０００２】
コンピューターシステムの集積量が徐々に多くなるにつれ、その内部のＣＰＵ、ディスプレイカード及び他の電子素子の発熱量も増加するので、この発熱量を即時に効果的に放熱するために、コンピューターの内部にファンを設置して放熱する。
【発明の概要】
【発明が解決しようとする課題】
【０００３】
しかし、コンピューターの内部に設置したファンが失効すると、熱量を即時に効果的に放熱することができなく、コンピューターは過熱によって故障が発生し、さらに損傷する可能性もある。
【０００４】
本発明の目的は、前記課題を解決し、ファン失効アラーム回路を提供して、もしファンが失効した場合、ユーザーに新しいファンを取り替えるように注意を促すことである。
【課題を解決するための手段】
【０００５】
本発明に係るファン失効アラーム回路は、直流変換回路、第一電子スイッチ、第二電子スイッチ、クロックチップ及び発光ダイオードを備え、前記直流変換回路の入力端は、ファンの回転速度信号ピンに接続されて、ファンが作動する場合、ファンの回転速度信号ピンから出力するパルス信号を直流電圧に変換し、前記第一電子スイッチの第一端は、前記直流変換回路の出力端に接続され、第一電子スイッチの第二端は接地し、第一電子スイッチの第三端は、電源に接続され、前記第一電子スイッチは、その第一端が前記直流変換回路からの直流電圧を受け取るとターンオンされ、前記第二電子スイッチの第一端が前記第一電子スイッチの第三端に接続され、前記第二電子スイッチの第二端が接地し、前記第二電子スイッチの第三端が電源に接続され、前記第一電子スイッチがターンオンされる場合、前記第二電子スイッチはターンオフされ、前記クロックチップのパワーピン及びリセットピンは、前記第二電子スイッチの第二端に接続され、前記クロックチップのトリガーピン及び閾値ピンは、順次に第一レジスター及び第二レジスターを介して前記第二電子スイッチの第二端に接続され、前記クロックチップのトリガーピン及び閾値ピンは、さらに第一キャパシターを介して接地し、前記クロックチップの放電ピンは、前記第一レジスターと前記第二レジスターとの間のノードに接続され、前記発光ダイオードの陽極は、前記クロックチップの出力ピンに接続され、前記発光ダイオードの陰極は接地する。
【発明の効果】
【０００６】
従来の技術に比べて、本発明のファン失効アラーム回路は、ファンが作動する場合、ファンの回転速度信号ピンはパルス信号を出力し、ファンが作動しない場合、ファンの回転速度信号ピンがパルス信号を出力しないという特性を利用し、さらにクロックチップの特性によって、ファンが回転を停止する場合、発光ダイオードの点滅によって、ファンが故障したことをユーザーに注意喚起して、ユーザーが即時にファンを修理するか又は新しいファンを取り替えるようにする。
【図面の簡単な説明】
【０００７】
【図１】本発明の実施形態に係るファン失効アラーム回路の回路図である。
【発明を実施するための形態】
【０００８】
以下、図面を参照して、本発明の実施形態について説明する。
【０００９】
図１を参照すると、本発明の実施形態に係るファン失効アラーム回路は、ファン１に接続される。前記ファン１は、第一電源＋１２Ｖに接続されるパワーピンＶＣＣと、接地する接地ピンＧＮＤと、前記ファン失効アラーム回路に接続される回転速度信号ピンＴａｃｈを備える。
【００１０】
本発明の実施形態に係るファン失効アラーム回路は、ダイオードＤ１と、電界効果トランジスターＱ１及びＱ２と、トランジスターＱ３と、クロックチップＵ１と、発光ダイオードＤ２と、ブザーＢと、を備える。
【００１１】
前記ダイオードＤ１の陽極は、前記回転速度信号ピンＴａｃｈに接続され、前記ダイオードＤ１の陰極は、順次レジスターＲ１、Ｒ２及びＲ３を介して電界効果トランジスターＱ１のゲートに接続される。前記レジスターＲ１と前記レジスターＲ２との間のノードは、キャパシターＣ１を介して接地し、前記レジスターＲ２と前記レジスターＲ３との間のノードは、キャパシターＣ２を介して接地し、前記レジスターＲ３と前記電界効果トランジスターＱ１のゲートとの間のノードは、レジスターＲ４を介して接地する。
【００１２】
前記電界効果トランジスターＱ１のソースは接地し、前記電界効果トランジスターＱ１のドレインは、レジスターＲ５を介して前記第一電源＋１２Ｖに接続され、前記電界効果トランジスターＱ１のドレインは、さらに前記電界効果トランジスターＱ２のゲートに接続される。前記電界効果トランジスターＱ２のソースは、キャパシターＣ３を介して接地し、前記電界効果トランジスターＱ２のドレインは、レジスターＲ６を介して第二電源＋５Ｖに接続される。
【００１３】
前記電界効果トランジスターＱ２のソースは、さらに前記クロックチップＵ１のパワーピンＶＣＣ及びリセットピンＲＥＳＥＴに接続される。前記クロックチップＵ１のトリガーピンＴＲＩＧ及び閾値ピンＴＨＲＥＳは、全てレジスターＲ７及びＲ８を介して前記電界効果トランジスターＱ２のソースに接続され、さらにキャパシターＣ４を介して接地する。前記クロックチップＵ１の制御ピンＣＯＮＴは、キャパシターＣ５を介して接地する。前記クロックチップＵ１の放電ピンＤＩＳＣＨは、前記レジスターＲ７と前記レジスターＲ８との間のノードに接続される。前記クロックチップＵ１の接地ピンＧＮＤは接地する。前記クロックチップＵ１の出力ピンＯＵＴは、レジスターＲ９を介して前記発光ダイオードＤ２の陽極に接続される。前記発光ダイオードＤ２の陰極は、前記トランジスターＱ３のベースに接続される。前記トランジスターＱ３のエミッタは接地し、前記トランジスターＱ３のコレクタは、前記ブザーＢの負極に接続される。前記ブザーＢの正極は、レジスターＲ１０を介して前記第二電源＋５Ｖに接続される。
【００１４】
以下、前記ファン失効アラーム回路の作動原理に対して説明する。
【００１５】
前記ファン１が正常に作動する場合、前記回転速度信号ピンＴａｃｈはパルス信号を出力し、前記パルス信号は、前記ダイオードＤ１によって整流され、前記レジスターＲ１によって限流されてから、前記レジスターＲ２及び前記キャパシターＣ２からなる直流変換回路２によって直流電圧に変換されて、前記電界効果トランジスターＱ１のゲートが高レベル信号を受信して、即ち前記電界効果トランジスターＱ１がターンオンされ、前記電界効果トランジスターＱ２はターンオフされる。この時、前記クロックチップＵ１は作動電圧を受け取らないので作動できず、前記発光ダイオードＤ２及び前記ブザーＢも作動しない。
【００１６】
前記ファン１が作動しない場合、前記回転速度信号ピンＴａｃｈはパルス信号を出力せず、前記電界効果トランジスターＱ１のゲートは高レベル信号を受信しないので、前記電界効果トランジスターＱ１はターンオフされ、前記電界効果トランジスターＱ２がターンオンされる。この時、前記クロックチップＵ１は作動電圧を受け取って作動し、前記第二電源＋５Ｖは、前記レジスターＲ８及びＲ７によって前記キャパシターＣ４に対して充電する。前記クロックチップＵ１の特性によって、前記クロックチップＵ１のトリガーピンＴＲＩＧの電圧（即ち前記キャパシターＣ４の電圧である）が前記パワーピンＶＣＣの電圧の２/３になると、前記クロックチップＵ１内部のトリガーはリセットされて、前記クロックチップＵ１の出力ピンＯＵＴは、低レベル信号を出力し、且つ前記クロックチップＵ１の放電ピンＤＩＳＣＨはターンオンされて、前記キャパシターＣ４は前記レジスターＲ７を介して放電する。前記キャパシターＣ４の電圧が前記パワーピンＶＣＣの電圧の１/３になると、前記クロックチップＵ１内部のトリガーは再びリセットされて、前記クロックチップＵ１の出力ピンＯＵＴは、高レベル信号を出力し、且つ前記クロックチップＵ１の放電ピンＤＩＳＣＨはターンオフされ、これは１つの周期である。このように繰り返して、前記クロックチップＵ１の出力ピンＯＵＴは、周期的なパルス信号を出力する。
【００１７】
前記クロックチップＵ１の出力ピンＯＵＴが高レベル信号を出力する場合、前記発光ダイオードＤ２は発光し、前記トランジスターＱ３はターンオンされて、前記ブザーＢも作動する。前記クロックチップＵ１の出力ピンＯＵＴが低レベル信号を出力する場合、前記発光ダイオードＤ２は発光せず、前記トランジスターＱ３はターンオフされて、前記ブザーＢも作動を停止する。このように繰り返して、前記発光ダイオードＤ２は点滅し、前記ブザーＢは交互に音声を出して、ファンが故障したので新しいファンを取り替えるようにユーザーに注意を促す。前記発光ダイオードＤ２の点滅頻度及び前記ブザーＢの発声頻度は、前記レジスターＲ７、Ｒ８の抵抗及び前記キャパシターＣ４のキャパシタンスの設定による。
【００１８】
本発明において、前記発光ダイオードＤ２及び前記ブザーＢによって、視覚及び聴覚の２つの方面からユーザーに注意を促すが、他の実施形態において、前記発光ダイオードＤ２及び前記ブザーＢの中のいずれか一方を採用しても本発明の目的を実現することができ、さらに他の提示装置を採用してもよい。前記ダイオードＤ２だけを備える場合、前記トランジスターＱ３及び前記ブザーＢを省略することができ、前記発光ダイオードＤ２の陽極は、前記レジスターＲ９を介して前記クロックチップＵ１の出力ピンＯＵＴに接続され、前記発光ダイオードＤ２の陰極は接地する。前記ブザーＢだけを備える場合、前記トランジスターＱ３のベースは、前記レジスターＲ９を介して前記クロックチップＵ１の出力ピンＯＵＴに接続される。
【００１９】
本発明のファン失効アラーム回路は、ファンが作動する場合、ファンの回転速度信号ピンはパルス信号を出力し、ファンが作動しない場合、ファンの回転速度信号ピンがパルス信号を出力しないという特性を利用し、さらにクロックチップの特性によって、ファンが回転を停止する場合、発光ダイオードの点滅及びブザーの交互的な音声出力によって、ファンが故障したことをユーザーに注意喚起して、ユーザーが即時にファンを修理するか又は新しいファンを取り替えるようにする。
【００２０】
以上、本発明を実施例に基づいて具体的に説明したが、本発明は、上述の実施例に限定されるものではなく、その要旨を逸脱しない範囲において、種々の変更が可能であることは勿論であって、本発明の技術的範囲は、以下の特許請求の範囲から決まる。
【符号の説明】
【００２１】
１  ファン
２  直流変換回路
Ｂ  ブザー
Ｃ１〜Ｃ５  キャパシター
ＣＯＮＴ  制御ピン
Ｄ１  ダイオード
Ｄ２  発光ダイオード
ＤＩＳＣＨ  放電ピン
ＧＮＤ  接地ピン
ＯＵＴ  出力ピン
Ｑ１〜Ｑ２  電界効果トランジスター
Ｑ３  トランジスター
Ｒ１〜Ｒ１０  レジスター
ＲＥＳＥＴ  リセットピン
Ｔａｃｈ  回転速度信号ピン
ＴＨＲＥＳ  閾値ピン
ＴＲＩＧ  トリガーピン
Ｕ１  クロックチップ
ＶＣＣ  電圧ピン
＋５Ｖ  第二電源
＋１２Ｖ  第一電源
【図１】
2012230669.tif 000003